(57)【要約】【課題】  文字盤の光沢状態を徐々に変化させて質感をグラデーション的に変ることにより、斬新な見映えの計器を提供する。【解決手段】  文字盤２の表面に設けた光沢面状の表示意匠層２ｃの上に重ねて無色透明の艶消し塗料により艶消し部である複数の点Ｃを設けた。複数の点Ｃは、シャフト７ａの中心から放射状且つシャフト７ａの半径方向において等間隔に配置され、且つ各点Ｃの直径Ｄは文字盤２上の適宜の点としてのシャフト７ａの中心から外周側に向かって、徐々に小さくなるように設定されている。これにより、文字盤２の光沢度合い、すなわち質感をグラデーション的に変化させられるので、コンビネーションメータ１の見映えをより斬新なものにできる。【選択図】        図３
2007085860.tif 000002
【特許請求の範囲】
【請求項１】
表示意匠層が形成された文字盤を備える計器であって、
前記文字盤上において光沢面である光沢部と艶消し面である艶消し部とが混在し、
前記文字盤上の適宜の点または辺から他の方向に向かうにしたがって前記光沢部と前記艶消し部との面積比率が徐々に変化していることを特徴とする計器。
【請求項２】
前記光沢部は前記表示意匠層であり、
前記艶消し部は前記表示意匠層上に無色透明の艶消し塗料またはスモーク調艶消し塗料を用いて印刷して形成された複数の点または複数の線であり、
複数の前記点の直径および複数の前記点の間隔の少なくとも一方または複数の前記線の幅および複数の前記線の間隔の少なくとも一方を徐々に変化させたことを特徴とする請求項１に記載の計器。
【請求項３】
前記艶消し部は前記表示意匠層であり、
前記光沢部は前記表示意匠層上に無色透明の光沢塗料を用いて印刷して形成された複数の点または複数の線であり、
複数の前記点の直径および複数の前記点の間隔の少なくとも一方または複数の前記線の幅および複数の前記線の間隔の少なくとも一方を徐々に変化させたことを特徴とする請求項１に記載の計器。
【請求項４】
前記印刷はデジタル印刷であることを特徴とする請求項２または請求項３に記載の計器。
【請求項５】
文字盤と、
前記文字盤の外周側に配置されたリング部材とを備える計器であって、
前記リング部材上において光沢面である光沢部と艶消し面である艶消し部とが混在し、
前記リング部材上における前記光沢部と前記艶消し部との面積比率が前記リング部材の径方向に向かうにしたがって徐々に変化していることを特徴とする計器。
【請求項６】
前記リング部材表面が光沢面状に形成されて前記光沢部をなし、
前記艶消し部は前記リング部材表面に無色透明の艶消し塗料またはスモーク調艶消し塗料を用いて印刷して形成された複数の点または複数の線であり、
複数の前記点の直径および複数の前記点の間隔の少なくとも一方または複数の前記線の幅および複数の前記線の間隔の少なくとも一方を徐々に変化させたことを特徴とする請求項５に記載の計器。
【請求項７】
前記リング部材表面が艶消し面状に形成されて前記艶消し部をなし、
前記光沢部は前記リング部材表面に無色透明の光沢塗料を用いて印刷して形成された複数の点または複数の線であり、
複数の前記点の直径および複数の前記点の間隔の少なくとも一方または複数の前記線の幅および複数の前記線の間隔の少なくとも一方を徐々に変化させたことを特徴とする請求項５に記載の計器。
【請求項８】
前記印刷はデジタル印刷であることを特徴とする請求項６または請求項８に記載の計器。
【発明の詳細な説明】
【技術分野】
【０００１】
本発明は、たとえば自動車に搭載されて各種情報を表示する計器に関するものである。
【背景技術】
【０００２】
従来の計器においては、文字盤上の適宜の点または辺から他の方向に向かうにしたがって、明度が徐々に異なる色調を有するような文字盤をそなえたものがある（特許文献１参照）。
【特許文献１】実開平４−１０４５２７号公報  この場合、文字盤の色調が徐々に変化する、いわゆるグラデーションを有するため、視覚的に立体感が強調された見映えが得られる。
【発明の開示】
【発明が解決しようとする課題】
【０００３】
上述の従来の計器の文字盤では、文字盤の色調を徐々に変化させているが、文字盤表面の光沢状態は文字盤全体で一定である。すなわち、文字盤の質感が変化せず一定となっている。このため、グラデーションによる立体感はあるものの、文字盤の見映えが単調なものになる可能性があった。
【０００４】
本発明は、上記の問題点に鑑みなされたもので、文字盤の光沢状態を徐々に変化させることで質感をグラデーション的に変えて、斬新な見映えの計器を提供することを目的とする。
【課題を解決するための手段】
【０００５】
本発明は上記目的を達成する為、以下の技術的手段を採用する。
【０００６】
本発明の請求項１に記載の計器は、表示意匠層が形成された文字盤を備える計器であって、文字盤上において光沢面である光沢部と艶消し面である艶消し部とが混在し、文字盤上の適宜の点または辺から他の方向に向かうにしたがって光沢部と艶消し部との面積比率が徐々に変化していることを特徴している。
【０００７】
上述した構成によれば、文字盤の光沢が文字盤上の適宜の点または辺から他の方向に向かうにしたがって徐々に変化している。つまり、文字盤上に光沢面および艶消し面が存在し、且つ両者の間に光沢面側から艶消し面側に向かって光沢が徐々に弱くなり艶消し度合いが強くなる領域が形成される。
【０００８】
これにより、文字盤の光沢状態が変化して、言い換えると質感がグラデーション的に変化して視認されるので、斬新な見映えの計器を提供することができる。
【０００９】
本発明の請求項２に記載の計器は、光沢部は表示意匠層であり、艶消し部は表示意匠層上に無色透明の艶消し塗料またはスモーク調艶消し塗料を用いて印刷して形成された複数の点または複数の線であり、複数の点の直径および複数の点の間隔の少なくとも一方または複数の線の幅および複数の線の間隔の少なくとも一方を徐々に変化させたことを特徴としている。
【００１０】
上述した構成によれば、光沢部と艶消し部との面積比率を容易に徐々に変化させることができる。
【００１１】
この場合、本発明の請求項４に記載の計器のように、印刷としてはデジタル印刷を適用すれば、複数の点の直径、複数の点の間隔、複数の線の幅および複数の線の間隔を高精度で印刷することができる。
【００１２】
本発明の請求項３に記載の計器は、艶消し部は表示意匠層であり、光沢部は表示意匠層上に無色透明の光沢塗料を用いて印刷して形成された複数の点または複数の線であり、複数の点の直径および複数の点の間隔の少なくとも一方または複数の線の幅および複数の線の間隔の少なくとも一方を徐々に変化させたことを特徴としている。
【００１３】
上述した構成によれば、光沢部と艶消し部との面積比率を容易に徐々に変化させることができる。
【００１４】
この場合、本発明の請求項４に記載の計器のように、印刷としてはデジタル印刷を適用すれば、複数の点の直径、複数の点の間隔、複数の線の幅および複数の線の間隔を高精度で印刷することができる。
【００１５】
本発明の請求項５に記載の計器は、文字盤と、文字盤の外周側に配置されたリング部材とを備える計器であって、リング部材上において光沢面である光沢部と艶消し面である艶消し部とが混在し、リング部材上における光沢部と艶消し部との面積比率がリング部材の径方向に向かうにしたがって徐々に変化していることを特徴としている。
【００１６】
上述した構成によれば、リング部材の光沢がリング部材の径方向に向かうにしたがって徐々に変化している。つまり、リング部材上に光沢面および艶消し面が存在し、且つ両者の間に光沢面側から艶消し面側に向かって光沢が徐々に弱くなり艶消し度合いが強くなる領域が形成される。
【００１７】
これにより、リング部材の光沢状態が変化して、言い換えるとリング部材の質感がグラデーション的に変化して視認されるので、斬新な見映えの計器を提供することができる。
【００１８】
本発明の請求項６に記載の計器は、リング部材表面が光沢面状に形成されて光沢部をなし、艶消し部はリング部材表面に無色透明の艶消し塗料またはスモーク調艶消し塗料を用いて印刷して形成された複数の点または複数の線であり、複数の点の直径および複数の点の間隔の少なくとも一方または複数の線の幅および複数の線の間隔の少なくとも一方を徐々に変化させたことを特徴としている。
【００１９】
上述した構成によれば、光沢部と艶消し部との面積比率を容易に徐々に変化させることができる。
【００２０】
この場合、本発明の請求項８に記載の計器のように、印刷としてはデジタル印刷を適用すれば、複数の点の直径、複数の点の間隔、複数の線の幅および複数の線の間隔を高精度で印刷することができる。
【００２１】
本発明の請求項７に記載の計器は、リング部材表面が艶消し面状に形成されて艶消し部をなし、光沢部はリング部材表面に無色透明の光沢塗料を用いて印刷して形成された複数の点または複数の線であり、複数の点の直径および複数の点の間隔の少なくとも一方または複数の線の幅および複数の線の間隔の少なくとも一方を徐々に変化させたことを特徴としている。
【００２２】
上述した構成によれば、光沢部と艶消し部との面積比率を容易に徐々に変化させることができる。
【００２３】
この場合、本発明の請求項８に記載の計器のように、印刷としてはデジタル印刷を適用すれば、複数の点の直径、複数の点の間隔、複数の線の幅および複数の線の間隔を高精度で印刷することができる。
【発明を実施するための最良の形態】
【００２４】
以下、本発明による計器を、自動車のコンビネーションメータ１に適用した場合を例に図面に基づいて説明する。
【００２５】
（第１実施形態）
図１は、本発明の第１実施形態によるコンビネーションメータ１の部分正面図である。図１は、当該自動車の走行速度を指示するスピードメータＳ部を示す。
【００２６】
図２は、図１中のＩＩ−ＩＩ線断面図である。なお、図２において、左側が運転席であり、コンビネーションメータ１は、図２の左側から視認される。
【００２７】
コンビネーションメータ１は、当該自動車の車室内の運転席前方に設けられ、当該自動車の関わる各種情報を、たとえば走行速度等を指針計器等により表示するものである。
【００２８】
文字盤２は、透光性材質、たとえば無色透明のポリカーボネート樹脂あるいはアクリル樹脂等の薄板から形成されている。文字盤２は、スピードメータＳにおいて走行速度を表す表示意匠としての目盛２ａ、「１」、「２」等の文字２ｂが形成された表示意匠層２ｃを備えている。目盛２ａおよび文字２ｂは、文字盤２の表面２ｅ（図２において左側の面）に表示意匠層２ｃを設けることにより形成されている。表示意匠層２ｃは、不透光性塗料あるいは半透光性塗料からなり、目盛２ａおよび文字２ｂを除く部分に印刷あるいはホットスタンプ等により施される。目盛２ａおよび文字２ｂは、無塗装の透明状態、あるいは半透光性塗料による着色状態となっている。これにより、文字盤２の裏側に配置される光源である発光ダイオード３が点灯されると、それが発する光により文字盤２は透過照明されて、目盛２ａおよび文字２ｂが発光表示される。文字盤２は、図２に示すように、その中央部に、後述するムーブメント７のシャフト７ａあるいは指針８のボス部８ａを挿通させるための貫通孔２ｄを備えている。
【００２９】
文字盤２の全面側（図２の左側）には、文字盤２の目盛２ａおよび文字２ｂと協働して走行速度を指示する指針８が配置されている。指針８は、透光性材料、たとえばアクリル樹脂等により形成されている。指針８は、図２に示すように、そのボス部８ａを介してムーブメント７のシャフト７ａに固定されている。指針８は、図２に示すように、透光性材質からなる導光体５を介して文字盤２の裏側に配置される光源である発光ダイオード４が発する光により照射されて発光表示される。指針８のボス部８ａの前面側（図２において左側）には、図２に示すように、遮光キャップ９が装着されている。遮光キャップ９は、遮光性を有する材質、たとえば黒色樹脂または金属等から形成され、発光ダイオード４からの光が直接運転者の眼に入射することを防いでいる。
【００３０】
文字盤２の背後には、図２に示すように、指針８を回動させるムーブメント７が配置されている。ムーブメント７は、ステッピングモータ、あるいは交差コイル式回転機等の電気アクチュエータからなり、外部からの電気信号（スピードメータＳにおいてはエンジンの回転速度信号）に対応した角度だけシャフト７ａを回動させるものである。
【００３１】
文字盤２の背後には、図２に示すように、プリント基板６が配置されている。プリント基板６は、たとえばガラスエポキシ基板等からなり、スピードメータＳを含むコンビネーションメータ１の電気回路部を形成している。プリント基板６には、発光ダイオード３、５およびムーブメント７が実装されている。
【００３２】
以上説明した、文字盤２、プリント基板６、ムーブメント７等は、図２に示すように、樹脂材料から成形されるケーシング１０内に収容保持されている。
【００３３】
また、文字盤２の前面側には、図２に示すように、略枠状の見返し板１１が装着され、さらに見返し板１１の先端部には透明カバー１２が装着されている。見返し板１１は、たとえば樹脂材料から形成されている。透明カバー１２は、透明な樹脂の薄板あるいはガラス等から形成されている。見返し板１１および透明カバー１２は、コンビネーションメータ１の見映えを整えると同時に、コンビネーションメータ１内部への埃、水分等の侵入を防止している。
【００３４】
一方、ケーシング１０の背後には、図２に示すように、ロアカバー１３が装着されている。ロアカバー１３は、たとえば樹脂材料から形成されている。
【００３５】
次に、本発明の第１実施形態によるコンビネーションメータ１の特徴である文字盤２の構成およびその作用効果、特に視認性におよぼす効果について説明する。
【００３６】
本発明の第１実施形態によるコンビネーションメータ１においては、文字盤２上に表示意匠としての目盛２ａおよび文字２ｂを形成する表示意匠層２ｃは、光沢面である光沢部として形成されている。すなわち、艶ありの塗料を施して形成されている。
【００３７】
文字盤２の表面は、図１に示すように、光沢面である光沢部Ｔと、艶消し面である艶消し部Ｍと、光沢度合いが徐々に変化する、すなわち光沢度合いが光沢部Ｔ側から艶消し部Ｍ側に向かって徐々に低下して視認されるグラデーション部Ｇの３つの領域から構成されている。
【００３８】
艶消し部Ｍは、文字盤２の表面、すなわち表示意匠層２ｃの上に、無色透明の艶消し塗料を施して形成されている。艶消し部Ｍの輪郭形状は、図１に示すように、指針８の回転中心、つまりシャフト７ａと同軸上の円形に形成されている。艶消し部Ｍは無色透明の艶消し塗料を施して形成されているので、艶消し部Ｍの見映えは、色調は表示意匠層２ｃと同一且つ光沢状態が完全艶消し状態となっている。
【００３９】
グラデーション部Ｇは、艶消し部Ｍに用いられているのと同じ無色透明の艶消し塗料により複数の円形の点Ｃを設けることにより形成されている。
【００４０】
ここで、グラデーション部Ｇの構成について説明する。
【００４１】
点Ｃは、シャフト７ａの中心から放射状且つシャフト７ａの半径方向において等間隔に配置されている。つまり、図３に示すように、互いに隣接する両点Ｃが間隔Ｐを隔てて配置されている。各点Ｃの直径Ｄは、文字盤２上の適宜の点としてのシャフト７ａの中心から外周側に向かって、図３に示すように、徐々に小さくなるように設定されている。したがって、シャフト７ａの中心からの距離が等しい点Ｃの直径Ｄは等しくなっている。点Ｃの見映えは、艶消し部Ｍと同様に、色調は表示意匠層２ｃと同一且つ光沢状態が艶消し状態となっている。また、点Ｃは、本発明の第１実施形態によるコンビネーションメータ１の文字盤２においては、デジタル印刷により施されている。デジタル印刷は、印刷の形状および位置精度が高いので、グラデーション部Ｇを形成するための印刷手段としては最適である。
【００４２】
なお、図３においては、点Ｃをシャフト７ａの半径方向において８個並べているが、これは分り易さのためであり、実際はもっと多い。
【００４３】
グラデーション部Ｇにおいては、光沢部である光沢面の表示意匠層２ｃと、艶消し部である艶消し面の表示意匠層２ｃ、すなわち点Ｃとが混在している。そして、光沢面の表示意匠層２ｃと艶消し面の表示意匠層２ｃである点Ｃとの面積比率、たとえば艶消し面の表示意匠層２ｃである点Ｃの占める面積割合は、艶消し部Ｍの外周部において最大であり、シャフト７ａの中心から外周側に向かうにしたがって徐々に小さくなっている。
【００４４】
光沢部Ｔは、艶消し面の点Ｃが皆無の領域であり、したがって光沢面の表示意匠層２ｃそのものである。
【００４５】
以上のように構成された文字盤２を運転者から見ると、中央部の艶消し部Ｍが艶消し面、つまり光沢が無い状態として視認され、グラデーション部Ｇが艶消し部Ｍから離れるに連れて光沢度合いが徐々に高くなるように視認され、光沢部Ｔが、完全な光沢面として視認される。したがって、文字盤２は、その光沢度合い、つまり質感がグラデーション的に変化して視認される。
【００４６】
従来の計器の文字盤では、文字盤の色調あるいは明度を徐々に変化させているが、文字盤表面の光沢状態は文字盤全体で一定である。すなわち、文字盤の質感が変化せず一定となっている。このため、グラデーションによる立体感はあるものの、文字盤の見映えが単調なものになる可能性があった。
【００４７】
これに対して、本発明の第１実施形態によるコンビネーションメータ１においては、文字盤２の光沢度合い、すなわち質感をグラデーション的に変化させている。これにより、コンビネーションメータ１の見映えをより斬新なものとすることができる。
【００４８】
（第２実施形態）
図４に、本発明の第２実施形態によるコンビネーションメータ１の文字盤２の部分拡大図を示す。
【００４９】
本発明の第２実施形態によるコンビネーションメータ１においては、文字盤２のグラデーション部Ｇの構成を変更している。すなわち、図４に示すように、複数の点Ｃに替えて複数の線Ｌを設けている。
【００５０】
線Ｌは、シャフト７ａの中心と同軸上に配置された円弧として形成され、且つシャフト７ａの半径方向において等間隔に配置されている。つまり、図４に示すように、互いに隣接する線Ｌが間隔Ｐを隔てて配置されている。各線Ｌの幅Ｂは、文字盤２上の適宜の点としてのシャフト７ａの中心から外周側に向かうにしたがって、図４に示すように、徐々に小さくなるように設定されている。
【００５１】
線Ｌの見映えは、艶消し部Ｍと同様に、色調は表示意匠層２ｃと同一且つ光沢状態が艶消し状態となっている。また、線Ｌは、本発明の第１実施形態によるコンビネーションメータ１の文字盤２においては、デジタル印刷により施されている。デジタル印刷は、印刷の形状および位置精度が高いので、グラデーション部Ｇを形成するための印刷手段としては最適である。
【００５２】
なお、図４においては、線Ｌをシャフト７ａの半径方向において８個並べているが、これは分り易さのためであり、実際はもっと多い。さらに、線Ｌは円弧であるが、図４においては、微小部分であるのと分り易さのために直線として書いている。
【００５３】
グラデーション部Ｇにおいては、光沢部である光沢面の表示意匠層２ｃと、艶消し部である艶消し面の表示意匠層２ｃ、すなわち線Ｌとが混在している。そして、光沢面の表示意匠層２ｃと艶消し面の表示意匠層２ｃである線Ｌとの面積比率、たとえば艶消し面の表示意匠層２ｃである線Ｌが占める面積割合は、艶消し部Ｍの外周部において最大であり、シャフト７ａの中心から外周側に向かうにしたがって徐々に小さくなっている。
【００５４】
以上のように構成された文字盤２を運転者から見ると、中央部の艶消し部Ｍが艶消し面、つまり光沢が無い状態として視認され、グラデーション部Ｇが艶消し部Ｍから離れるに連れて光沢度合いが徐々に高くなるように視認され、光沢部Ｔが、完全な光沢面として視認される。したがって、文字盤２は、その光沢度合い、つまり質感がグラデーション的に変化して視認される。
【００５５】
これにより、本発明の第２実施形態によるコンビネーションメータ１においても、本発明の第１実施形態によるコンビネーションメータ１の場合と同様に、コンビネーションメータ１の見映えをより斬新なものとすることができる。
【００５６】
なお、以上説明した、本発明の第１、第２実施形態によるコンビネーションメータ１においては、文字盤２の表示意匠層２ｃをめっきまたは印刷等を施して金属調の面としてもよい。あるいは、文字盤２を、金属、たとえばアルミニウムまたはステンレス鋼等の薄板から形成してもよい。この場合、その表面に艶消し塗料を施してグラデーション部Ｇを形成することによる質感のグラデーション的変化の見映えにおよぼす効果を一段と高めて、コンビネーションメータ１の見映えをより斬新なものとすることができる。
【００５７】
また、以上説明した、本発明の第１、第２実施形態によるコンビネーションメータ１においては、表示意匠層２ｃを光沢部とし、点Ｃおよび線Ｌを艶消し部としているが、反対に、表示意匠部２ｃに艶消し塗料を施して艶消し部とし、且つ点Ｃおよび線Ｌに無色透明の艶あり塗料を施して光沢部としてもよい。
【００５８】
また、以上説明した、本発明の第１、第２実施形態によるコンビネーションメータ１においては、点Ｃおよび線Ｌに無色透明の塗料を適用しているが、これに替えてスモーク調塗料を用いてもよい。
【００５９】
（第３実施形態）
図５に、本発明の第３実施形態によるコンビネーションメータ１の部分正面図を示す。
【００６０】
図６に、図５中のＶＩ−ＶＩ線断面図を示す。
【００６１】
図７に、図５中のＶＩＩ部拡大図を示す。
【００６２】
本発明の第３実施形態によるコンビネーションメータ１においては、本発明の第１実施形態によるコンビネーションメータ１に対して、文字盤２の外周に、図５に示すように、リング部材としての装飾リング１４を追加配置している。
【００６３】
装飾リング１４は、透光性材質、たとえば無色透明のアクリル樹脂またはポリカーボネート樹脂等から、図５に示すように、円弧部分と直線部分とからなる環状に形成されている。装飾リング１４の円弧部分は、指針８の回転中心であるシャフト７ａと同軸上に配置されている。装飾リング１４の表面１４ａはガラス面のように滑らかな光沢面として形成され光沢部を構成している。装飾リング１４の表面１４ａには、艶消し塗料を印刷により施して艶消し面としての艶消し部である複数の円形の点Ｃが設けられている。
【００６４】
艶消し部である複数の円形の点Ｃは、シャフト７ａの中心から放射状且つシャフト７ａの半径方向において等間隔に配置されている。つまり、図７に示すように、互いに隣接する両点Ｃが間隔Ｐを隔てて配置されている。各点Ｃの直径Ｄは、装飾リング１４の内周側から外周側に向かって、図７に示すように、徐々に小さくなるように設定されている。したがって、シャフト７ａの中心からの距離が等しい点Ｃの直径Ｄは等しくなっている。これにより、装飾リング１４の表面にグラデーション部Ｇが形成されている。また、点Ｃは、本発明の第３実施形態によるコンビネーションメータ１においては、デジタル印刷により施されている。デジタル印刷は、印刷の形状および位置精度が高く、また立体表面に対しても容易に高精度で印刷を施せるので、装飾リング１４の表面１４ａにグラデーション部Ｇを形成するための印刷手段としては最適である。
【００６５】
なお、図７においては、点Ｃをシャフト７ａの半径方向において８個並べているが、これは分り易さのためであり、実際はもっと多い。
【００６６】
以上のように構成された装飾リング１４を運転者から見ると、装飾リング１４の内周から外周に向かうにしたがって光沢度合いが徐々に高くなるように視認される。したがって、装飾リング１４は、その光沢度合い、つまり質感がグラデーション的に変化して視認される。
【００６７】
これにより、本発明の第３実施形態によるコンビネーションメータ１においては、質感がグラデーション的に変化して視認される文字盤２の外周に、質感がグラデーション的に変化して視認される装飾リング１４を追加配置することで、コンビネーションメータ１の見映えをより斬新なものとすることができる。
【００６８】
なお、以上説明した、本発明の第３実施形態によるコンビネーションメータ１においては、装飾リング１４の表面１４ａに施す艶消し部を複数の円形の点Ｃとしているが、円形の点Ｃの替わりに、本発明の第２実施形態によるコンビネーションメータ１の文字盤２に設けたのと同様に複数の線Ｌを設けてもよい。
【００６９】
また、以上説明した、本発明の第３実施形態によるコンビネーションメータ１においては、文字盤２にグラデーション部Ｇを設けているが、文字盤２に表示意匠層２ｃのみを施す構成としてもよい。
【００７０】
また、以上説明した、本発明の第１〜第３実施形態によるコンビネーションメータ１においては、グラデーション部Ｇを形成する複数の点Ｃの間隔Ｐおよび複数の線Ｌの間隔Ｐを一様としているが、これを徐々に変化させる、たとえば点Ｃの直径Ｄが減少する方向に向かって間隔Ｐを徐々に増大させてもよい。
【００７１】
また、以上説明した、本発明の第１〜第３実施形態によるコンビネーションメータ１においては、グラデーション部Ｇを形成する複数の点Ｃの形状を円形としているが、円形以外の形状、たとえば楕円形、多角形等であってもよい。
【００７２】
また、以上説明した、本発明の第３実施形態によるコンビネーションメータ１においては、装飾リング１４の表面１４ａを光沢部とし、点Ｃおよび線Ｌを艶消し部としているが、反対に、装飾リング１４の表面１４ａに型転写等により梨地面を形成して艶消し部とし、且つ点Ｃおよび線Ｌに無色透明の艶あり塗料を施して光沢部としてもよい。
【００７３】
また、以上説明した３つの実施形態は、本発明による計器の用途を、自動車の車室内に設置されたコンビネーションメータ１としているが、コンビネーションメータ１に限る必要は無く、他の種類の計器、たとえば各種民生用機器が備える計器に適用してもよい。
【図面の簡単な説明】
【００７４】
【図１】本発明の第１実施形態によるコンビネーションメータ１の部分正面図である。
【図２】図１中のＩＩ−ＩＩ線断面図である。
【図３】図１中のＩＩＩ部拡大図である。
【図４】本発明の第２実施形態によるコンビネーションメータ１の文字盤２の部分拡大図である。
【図５】本発明の第３実施形態によるコンビネーションメータ１の部分正面図である。
【図６】図５中のＶＩ−ＶＩ線断面図である。
【図７】図５中のＶＩＩ部拡大図である。
【符号の説明】
【００７５】
１    コンビネーションメータ（計器）
２    文字盤
２ａ    目盛
２ｂ    文字
２ｃ    表示意匠層（光沢部）
２ｄ    貫通孔
２ｅ    表面
３    発光ダイオード
４    発光ダイオード
５    導光体
６    プリント基板
７    ムーブメント
７ａ    シャフト
８    指針
８ａ    ボス部
９    遮光キャップ９
１０    ケーシング
１１    見返し板
１２    透明カバー
１３    ロアカバー
１４    装飾リング（リング部材）
１４ａ    表面
Ｂ    幅
Ｃ    点（艶消し部）
Ｄ    直径
Ｇ    グラデーション部
Ｌ    線（艶消し部）
Ｍ    艶消し部
Ｐ    間隔
Ｓ    スピードメータ
Ｔ    光沢部
【図１】
2007085860.tif 000003
【図２】
2007085860.tif 000004
【図３】
2007085860.tif 000005
【図４】
2007085860.tif 000006
【図５】
2007085860.tif 000007
【図６】
2007085860.tif 000008
【図７】
2007085860.tif 000009